(57)【特許請求の範囲】
【請求項１】
紙などの板状部材を折り曲げて写実的な構造体を構成するティッシュボックスカバーにおいて、湾曲した折線のライン上に不規則的なカットを設け、該不規則的なカットは、各カットの長さが不均一で、カットと隣近するカットされていない部分との長さも不均一であるカットであって、前記湾曲した折線の湾曲が強い部分に設けられたことを特徴とするティッシュボックスカバー。
【請求項２】
紙などの板状部材を折り曲げて写実的な構造体を構成するティッシュボックスカバーにおいて、２本以上の折線が鋭角に交わる部分の折線のライン上に不規則的なカットを設け、該不規則的なカットは、各カットの長さが不均一で、カットと隣近するカットされていない部分との長さも不均一であるカットであって、前記２本以上の折線のうち、一方の折線の他方の折線と交わる部分と、他方の折線の中央付近に設けられたことを特徴とするティッシュボックスカバー。
【請求項３】
前記写実的な構造物を、自動車を模したものとして構成して、前記不規則的なカットを入れる部分を、フロントバンパーを模した部分のライン上としたことを特徴とする請求項１記載のティッシュボックスカバー。
【請求項４】
前記写実的な構造物を、自動車を模したものとして構成して、前記不規則的なカットを入れる部分を、リアバンパーを模した部分のライン上としたことを特徴とする請求項１記載のティッシュボックスカバー。
【請求項５】
前記写実的な構造物を、自動車を模したものとして構成して、前記不規則的なカットを入れる部分を、リアフェンダーを模した部分のライン上としたことを特徴とする請求項２記載のティッシュボックスカバー。
【請求項６】
前記写実的な構造物を、自動車を模したものとして構成して、前記不規則的なカットを入れる部分を、リアピラーを模した部分のライン上としたことを特徴とする請求項２記載のティッシュボックスカバー。
【請求項７】
前記写実的な構造物を、自動車を模したものとして構成して、前記不規則的なカットを入れる部分を、リアハッチゲートを模した部分のライン上としたことを特徴とする請求項１記載のティッシュボックスカバー。
【発明の詳細な説明】
【技術分野】
【０００１】  この発明は、紙などの板状部材を折り曲げて構成するティッシュボックスカバーに関するものである。
【背景技術】
【０００２】  従来、特許文献１及び特許文献２に記載されているように、板状部材を折り曲げて乗り物などを模した構造体を構成するティッシュボックスカバーが提案されている。そんな中で、より実物に近い写実的な形状を再現することを追及していくと、湾曲した折線や２本以上の折線が鋭角に交わる部分の折線を美しく折り曲げることが必要になる。【０００３】  ここで、谷折り部分などの直線的なものについては、美しく折り曲げるため、折線の上に規則的にカットが入れられている「リード罫」や、それより比較的細かい間隔で規則的にカットが入れられた「ミシン目」などが用いられていることがある。【０００４】  例えば、特許文献３においては、折り畳む時に生ずる紙の歪を折線の一部をミシン目切り線にて歪の発生を吸収して美しく折り畳むという折り曲げ構造が提案されている。
【先行技術文献】
【０００５】
【特許文献１】意匠登録第１４０１６９１号
【特許文献２】意匠登録第１２３１５４８号
【特許文献３】特開２０００−３３５５９０
【発明の概要】
【発明が解決しようとする課題】
【０００６】  しかし、板状部材を折り曲げて構造体を構成するティッシュボックスカバーにおいて、湾曲した折線や、２本以上の折線が鋭角に交わる部分の折線を折り曲げる際に、前記リード罫及び前記ミシン目を使用すると、逆にしわ等が発生して、美しく折り曲げることができなかった。【０００７】  そこで、本発明は、湾曲した折線や、２本以上の折線が鋭角に交わる部分の折線を折り曲げる際の問題点を解決することを課題とし、外観を損ねることなく美しく折り曲げることができるティッシュボックスカバーを提供することを目的とする。
【課題を解決するための手段】
【０００８】  第一の発明のティッシュボックスカバーは、写実的な構造体を紙などの板状部材を折り曲げて構成するティッシュボックスカバーであって、湾曲した折線のライン上の湾曲が強い部分に不規則的なカットを設けたことを特徴とするものである。  ここで、「不規則的なカット」とは、前記リード罫及び前記ミシン目が規則的なカット等が構成されていることに対して、各カットの長さが不均一で、カットと隣近するカットされていない部分との長さも不均一であるカットのことをいい、それらが必要に応じてその都度決定されるカットのことを指す。【０００９】第二の発明のティッシュボックスカバーは、写実的な構造体を紙などの板状部材を折り曲げて構成するティッシュボックスカバーであって、２本以上の折線が鋭角に交わる部分の折線のライン上の、一方の折線の他方の折線と交わる部分と、他方の折線の中央付近に不規則的なカットを設けたことを特徴とするものである。【００１０】  第三の発明では、第一の発明における写実的な構造物を、自動車を模したものとして構成して、前記不規則的なカットを入れる部分を、フロントバンパーを模した部分のライン上としたことを特徴とするものである。【００１１】  第四の発明では、第一の発明における写実的な構造物を、自動車を模したものとして構成して、前記不規則的なカットを入れる部分を、リアバンパーを模した部分のライン上としたことを特徴とするものである。【００１２】  第五の発明では、第二の発明における写実的な構造物を、自動車を模したものとして構成して、前記不規則的なカットを入れる部分を、リアフェンダーを模した部分のライン上としたことを特徴とするものである。【００１３】  第六の発明では、第二の発明における写実的な構造物を、自動車を模したものとして構成して、前記不規則的なカットを入れる部分を、リアピラーを模した部分のライン上としたことを特徴とするものである。【００１４】  第七の発明では、第一の発明における写実的な構造物を、自動車を模したものとして構成して、前記不規則的なカットを入れる部分を、リアハッチゲートを模した部分のライン上としたことを特徴とするものである。
【発明の効果】
【００１５】  この発明では、不規則的なカットが、湾曲した折線や、２本以上の折線が鋭角に交わる部分の折線のライン上に設けられているため、湾曲した折線や、２本以上の折線が鋭角に交わる部分の折線があいまいに折れ曲がろうとすることを防ぎ、折れ曲がる方向や角度等を確定させることができる。これにより、板状部材を折り曲げる際のしわ等の発生を防ぎ、湾曲した折線や、２本以上の折線が鋭角に交わる部分の折線を、外観を損ねることなく美しく折り曲げることができる。
【図面の簡単な説明】
【００１６】
【図１】この発明の一実施例を示し、ティッシュボックスカバーの前方から見た斜視図である。
【図２】この発明の一使用例を示し、ティッシュボックスカバーの中にティッシュボックスを収納した状態を前方から見た斜視図である。
【図３】この発明の一実施例を示し、ティッシュボックスカバーの後方から見た斜視図である。
【図４】この発明の一実施例を示し、ティッシュボックスカバーの展開図である。
【図５】この発明の一実施例を示し、ティッシュボックスカバーのフロントバンパーを模した部分付近の拡大図である。
【図６】この発明の一実施例を示し、ティッシュボックスカバーのリアバンパーを模した部分付近の拡大図である。
【図７】この発明の一実施例を示し、ティッシュボックスカバーのリアフェンダーを模した部分及びリアピラーを模した部分付近の拡大図である。
【図８】この発明の一実施例を示し、Ｙ−Ｚ断面拡大図である。
【図９】この発明の一実施例を示し、ティッシュボックスカバーのリアハッチゲートを模した部分付近の拡大図である。
【発明を実施するための形態】
【００１７】  以下、本発明の実施形態を図面に基づいて詳細に説明する。尚、以下の好ましい実施形態の説明は、本質的に例示に過ぎず、本発明、その適用物或いはその用途を制限することを意図するものではない。
【００１８】  本実施形態は、図１〜図３に示すように、長尺矩形のティッシュボックスＴＢを内部に収容するティッシュボックスカバーＭである。このティッシュボックスカバーＭは自動車を写実的に模した構造となっている。このティッシュボックスカバーＭの前部には、フロントバンパーを模した部分１０が構成され、その上部にはボンネットを模した部分５０、そのさらに上部にはフロントウインドーを模した部分６０が構成される。そしてティッシュボックスカバーＭの天部にはルーフを模した部分７０が構成されている。さらに、その両側面側にはフロントピラーを模した部分８０と隣接する形でフロントフェンダーを模した部分９０が構成され、後部にはリアフェンダーを模した部分３０Ａが構成され、フロントフェンダーを模した部分９０とリアフェンダーを模した部分３０Ａの間には、ドアウインドーを模した部分１００が構成されている。また、フロントピラーを模した部分８０の下部付近にはサイドミラーを模した部分１１０が構成されている。そして、後部下側には図３に示すようにリアバンパーを模した部分２０が構成され、その上側にはリアハッチゲートを模した部分４０が構成されている。その両側にはリアピラーを模した部分３０Ｂが構成されている。そして、これらすべてを支えるように４つのタイヤを模した部分１２０を、下部の４カ所に配置するように構成されている。
【００１９】  このティッシュボックスカバーＭは、図４に示すようにまず、紙などの板状部材αに必要に応じて印刷加工がされ、その後、折線及びカットが入れられる。その後、前部形成部材１、天部・後部・左側面部形成部材２、右側面部形成部材３、底部形成部材４の掛合部Ａ．Ｂ．Ｃを引っ掛け式で固定し、差込片Ｄ．Ｅ．Ｆ．Ｇ．Ｈ．Ｉ．Ｊ．Ｋをそれぞれ係止穴Ｄ’．Ｅ’．Ｆ’．Ｇ’．Ｈ’．Ｉ’．Ｊ’．Ｋ’にそれぞれ差し込み、さらに、サイドミラー形成部材５を折線に従って折り、サイドミラー係止穴イに差し込むことで、サイドミラー１１０を形成し、市販のティッシュボックスＴＢを収容可能なティッシュボックスカバーＴを構成する。  その後、切取線ロに沿って上部封鎖部ハを切り取ることで、ティッシュペーパーＴを１枚ずつ取り出すための、取出口ニを形成する。なお、ティッシュボックスを収容しない場合には、封鎖部ハを外さずに自動車形状の置物として使用することもできる。
【００２０】  以下、本実施形態の特徴的な各部位について詳細に説明をする。
【００２１】  図５に示すフロントバンパーを模した部分１０のラインのうち上側のラインＬ１では、折線１１の両端に折線１１全体の約２５％の長さのカットされてない部分１１ａ．１１ａが設けられており、それに隣接して、折線１１全体の約６％の長さの不規則的なカット１１ｃ．１１ｃが設けられている。この不規則的なカット１１ｃ．１１ｃを設けていない場合は、折り曲げる前の状態に戻ろうとする復元力が発生して、美しく折り曲げることができないが、この不規則的なカット１１ｃ．１１ｃを設けていることで、復元力を軽減させ、湾曲した折線を美しく折り曲げることができて、フロントバンパーの丸みを帯びた形状を写実的に表現することが可能となる。
【００２２】  図６に示すリアバンパーを模した部分２０のラインのうち下側のラインＬ２では、折線２１の両端に折線２１全体の約２６％の長さのカットされてない部分２１ａ．２１ａが設けられており、それに隣接して、折線２１全体の約１９％の長さの不規則的なカット２１ｃ．２１ｃが設けられている。また、上側のラインＬ３では、折線２２の両端に折線２２全体の約１７％の長さのカットされてない部分２２ａ．２２ａが設けられており、それに隣接して、折線２２全体の約９％の長さの不規則的なカット２２ｃ．２２ｃが設けられている。前記フロントバンパーを模した部分１０に設けられた不規則的なカット１１ｃ１１ｃと同様に、この不規則的なカット２１ｃ．２１ｃ．２２ｃ．２２ｃを設けていない場合は、折り曲げる前の状態に戻ろうとする復元力が発生して、美しく折り曲げることができないが、この不規則的なカット２１ｃ．２１ｃ．２２ｃ．２２ｃが設けられていることで、復元力を軽減させ、湾曲した折線を美しく折り曲げることができて、リアバンパーのくの字型形状を写実的に表現することが可能となる。
【００２３】  図７、図８に示すリアフェンダーを模した部分３０Ａ及びリアピラーを模した部分３０ＢのラインＬ４．Ｌ５．Ｌ６において、ラインＬ４とラインＬ５は鋭角βで、ラインＬ５とラインＬ６は鋭角θでそれぞれ交差している。折線３１には交点３４から折線３１全体の約４８％のカットされていない部分３１ａが設けられており、それに隣接して、折線３１の全体の約２８％の長さの不規則的なカット３１ｃが設けられている。また、折線３２には交点３４から折線３２全体の約１５％のカットされていない部分３２ａが設けられており、それに隣接して、折線３２の全体の約３０％の長さの不規則的なカット３２ｃが設けられている。また、折線３３には交点３５から折線３３の全体の約３０％の長さの不規則的なカット３３ｃが設けられており、それに隣接して、折線３３全体の約１９％のカットされていない部分３３ａが設けられている。この不規則的なカット３１ｃ．３２ｃ．３３ｃがない場合は、折線同士が交わっているため、交点部分にしわ等が発生して、それによって折り曲げる前の状態に戻ろうとする強い復元力が発生して折線が美しく折り曲げることができない。しかし、この不規則的なカット３１ｃ．３２ｃ．３３ｃが設けられていることで、交点部分のしわ等の発生を防止することで復元力を軽減させ、少なくとも２本以上の折線が交わる部分の折線を美しく折り曲げることができて、リアフェンダー及びリアピラーの特殊な形状を写実的に表現することが可能となる。
【００２４】  図９に示すリアハッチゲートを模した部分４０のラインＬ７では、折線４１の両端に折線４１全体の約３８％の長さのカットされてない部分４１ａ．４１ａが設けられており、それに隣接して、中央に折線４１全体の約２４％の長さの不規則的なカット４１ｃが設けられている。前記フロントバンパーを模した部分１０及び前記リアバンパーを模した部分２０に設けられた不規則的なカット１１ｃ．１１ｃ．２１ｃ．２１ｃ．２２ｃ．２２ｃと同様に、この不規則的なカット４１ｃを設けていない場合は、折り曲げる前の状態に戻ろうとする復元力が発生して、美しく折り曲げることができないが、この不規則的なカット４１ｃが設けられていることで、復元力を軽減させ、湾曲した折線を美しく折り曲げることができて、リアハッチゲートの湾曲した線を軸に角度が変わっている形状を写実的に表現することが可能となる。
【００２５】  以上のように、写実的な自動車を紙などの板状部材を折り曲げて構成するこの実施形態のティッシュボックスカバーＭは、湾曲した折線１１．２１．４１や、２本以上の折線が鋭角β．θに交わる部分の折線３１．３２．３３のラインＬ１．Ｌ２．Ｌ３．Ｌ４．Ｌ５．Ｌ６．Ｌ７上に、不規則的なカット１１ｃ．１１ｃ．２１ｃ．２１ｃ．２２ｃ．２２ｃ．３１ｃ．３２ｃ．３３ｃ．４１ｃが設けられているため、湾曲した折線１１．２１．４１や、２本以上の折線が鋭角β．θに交わる部分の折線３１．３２．３３があいまいに折れ曲がろうとすることを防ぎ、折れ曲がる方向や角度等を確定させることができる。これにより、板状部材αを折り曲げる際のしわ等の発生を防ぎ、湾曲した折線１１．２１．４１や、少なくとも２本以上の折線が鋭角β．θに交わる部分の折線３１．３２．３３を、外観を損ねることなく、美しく折り曲げることができる。  その結果、板状部材αを折り曲げて構成するティッシュボックスカバーＭにおいて、複雑な構造や特殊な構造を写実的に表現することが可能となる。
【００２６】  また、他の実施形態では、ティッシュボックスカバーは電車を写実的に模すことが考えられる。この場合、不規則的なカットは、フロントノウズを模した部分に設けることが考えられる。このように、不規則的なカットを設けることによりフロントノウズの丸みを帯びた形状を写実的に表現することが可能となる。
【００２７】  さらに、ティッシュボックスカバーは船を写実的に模すことが考えられる。この場合、不規則的なカットは、船首部を模した部分に設けることが考えられる。このように、不規則的なカットを設けることにより船首部の上下方向に反った形状を写実的に表現することが可能となる。
【符号の説明】
【００２８】１      前部形成部材２      天部・後部・左側面部形成部材３      右側面部形成部材４      底部形成部材５      サイドミラー形成部材Ａ      掛合部Ｂ      掛合部Ｃ      掛合部Ｄ      差込片Ｄ’    係止穴Ｅ      差込片Ｅ’    係止穴Ｆ      差込片Ｆ’    係止穴Ｇ      差込片Ｇ’    係止穴Ｈ      差込片Ｈ’    係止穴Ｉ      差込片Ｉ’    係止穴Ｊ      差込片Ｊ’    係止穴Ｋ      差込片Ｋ’    係止穴Ｔ      ティッシュペーパーＴＢ    ティッシュボックスＭ      ティッシュボックスカバーα      板状部材β      鋭角θ      鋭角Ｌ１    ラインＬ２    ラインＬ３    ラインＬ４    ラインＬ５    ラインＬ６    ラインＬ７    ラインイ      サイドミラー係止穴ロ      切取線ハ      封鎖部二      取出口１０    フロントバンパーを模した部分１１    湾曲した折線１１ａ  カットされていない部分１１ｃ  不規則的なカット２０    リアバンパーを模した部分２１    湾曲した折線２１ａ  カットされていない部分２１ｃ  不規則的なカット２２    湾曲した罫線２２ａ  カットされていない部分２２ｃ  不規則的なカット３０Ａ  リアフェンダーを模した部分３０Ｂ  リアピラーを模した部分３１    折線３１ａ  カットされていない部分３１ｃ  不規則的なカット３２    折線３２ａ  カットされていない部分３２ｃ  不規則的なカット３３    折線３３ａ  カットされていない部分３３ｃ  不規則的なカット３４    交点３５    交点４０    リアハッチゲートを模した部分４１    湾曲した折線４１ａ  カットされていない部分４１ｃ  不規則的なカット５０    ボンネットを模した部分６０    フロントウインドーを模した部分７０    ルーフを模した部分８０    フロントピラーを模した部分９０    フロントフェンダーを模した部分１００  ドアウインドーを模した部分１１０  サイドミラーを模した部分１２０  タイヤを模した部分
【図１】
0006011840.tif 000002
【図２】
0006011840.tif 000003
【図３】
0006011840.tif 000004
【図４】
0006011840.tif 000005
【図５】
0006011840.tif 000006
【図６】
0006011840.tif 000007
【図７】
0006011840.tif 000008
【図８】
0006011840.tif 000009
【図９】
0006011840.tif 000010